(57)【要約】    【課題】  複数のチャンネルに放送電波の周波数情報をプリセットする処理をより適切に行い、プリセット操作を簡略化するとともに、設定可能なチャンネルがすべて設定された後にさらに新たな周波数情報を設定する際に適切な設定動作が行われるプリセット装置を提供する。    【解決手段】  所定のプリセット操作が行われる毎に、使用可能な複数チャンネル中の空きチャンネルに新たな周波数情報を設定する（Ｓ１１，Ｓ１２，Ｓ１３，Ｓ１６）。所定プリセット操作が行われた場合において空きチャンネルが無いときは、周波数情報を最後に設定したチャンネル（例えば最大チャンネル番号）に対応するチャンネルに新たな周波数情報を上書き設定する（Ｓ１４〜Ｓ１６）。【選択図】  図３
2010062702.tif 000002
【特許請求の範囲】
【請求項１】
車両に搭載される放送受信機の複数のチャンネルに放送電波の周波数情報をプリセットする、車両用放送受信機のプリセット装置において、
所定のプリセット操作が行われる毎に、前記複数チャンネル中の空きチャンネルに前記周波数情報を設定するプリセット手段と、
前記複数チャンネル中の空きチャンネルの有無を判定する判定手段とを備え、
前記プリセット手段は、前記所定プリセット操作が行われた場合において前記判定手段により空きチャンネルが無いと判定されたときは、前記周波数情報を最後に設定したチャンネルに新たな周波数情報を上書き設定することを特徴とする車両用放送受信機のプリセット装置。
【請求項２】
車両に搭載される放送受信機の複数のチャンネルに放送電波の周波数情報をプリセットする、車両用放送受信機のプリセット装置において、
所定のプリセット操作が行われる毎に、前記複数チャンネル中の空きチャンネルに前記周波数情報を設定するプリセット手段と、
設定された周波数情報を消去するチャンネルを操作者が選択するための選択手段と、
該選択手段により選択されたチャンネルに設定された周波数情報を消去する消去手段と、
該消去手段により周波数情報が消去された空きチャンネルが最後に設定されたチャンネルでないときに、前記空きチャンネルより後に設定されたチャンネルに設定されている周波数情報を、前記空きチャンネルの方向に移動させる移動手段とを備えることを特徴とする車両用放送受信機のプリセット装置。
【発明の詳細な説明】
【技術分野】
【０００１】
本発明は、車両に搭載される放送受信機の複数のチャンネルに放送電波の周波数をプリセットするプリセット装置に関する。
【背景技術】
【０００２】
特許文献１には、単一の操作キーにより複数チャンネルに放送局データをプリセット可能とした放送受信機が示されている。具体的には、操作キーが第１の操作態様で操作されたときに、その操作により指定されたチャンネルが選択され、操作キーが第２の操作態様で操作されたときに、受信中の放送局の放送局データが選択されているチャンネルに設定される。
【０００３】
【特許文献１】特開平２−２６２７１１号公報
【発明の開示】
【発明が解決しようとする課題】
【０００４】
上記従来の受信機では、放送局データをプリセットするときに、チャンネルを指定する第１の操作を常に行う必要があるため、多数のチャンネルの設定を行う場合に操作が煩雑となる。
【０００５】
本発明はこの点に着目してなされたものであり、複数のチャンネルに放送電波の周波数情報をプリセットする処理をより適切に行い、プリセット操作を簡略化するとともに、設定可能なチャンネルがすべて設定された後にさらに新たな周波数情報を設定する際に適切な設定動作が行われる、車両用放送受信機のプリセット装置を提供することを第１の目的とする。
【０００６】
本発明はさらにプリセットされたチャンネルの周波数情報を消去する際に、チャンネルと設定されている周波数情報との関係を調整し、新たに周波数情報を設定するときの処理を適切に行うことができるプリセット装置を提供することを第２の目的とする。
【課題を解決するための手段】
【０００７】
上記第１の目的を達成するため請求項１に記載の発明は、車両に搭載される放送受信機の複数のチャンネルに放送電波の周波数情報をプリセットする、車両用放送受信機のプリセット装置において、所定のプリセット操作が行われる毎に、前記複数チャンネル中の空きチャンネル（ＣＨＶＭＩＮ）に前記周波数情報を設定するプリセット手段と、前記複数チャンネル中の空きチャンネルの有無を判定する判定手段とを備え、前記プリセット手段は、前記所定プリセット操作が行われた場合において前記判定手段により空きチャンネルが無いと判定されたときは、前記周波数情報を最後に設定したチャンネル（ＣＨＭＡＸ）に新たな周波数情報を上書き設定することを特徴とする。
【０００８】
上記第２の目的を達成するため請求項２に記載の発明は、車両に搭載される放送受信機の複数のチャンネルに放送電波の周波数情報をプリセットする、車両用放送受信機のプリセット装置において、所定のプリセット操作が行われる毎に、前記複数チャンネル中の空きチャンネル（ＣＨＭＩＮ）に前記周波数情報を設定するプリセット手段と、設定された周波数情報を消去するチャンネルを操作者が選択するための選択手段と、該選択手段により選択されたチャンネル（ＣＨＳＥＬ）に設定された周波数情報を消去する消去手段と、該消去手段により周波数情報が消去された空きチャンネル（ＣＨＳＥＬ）が最後に設定されたチャンネル（ＣＨＬＳＴ）でないときに、前記空きチャンネル（ＣＨＳＥＬ）より後に設定されたチャンネルに設定されている周波数情報を、前記空きチャンネル（ＣＨＳＥＬ）の方向に移動させる移動手段とを備えることを特徴とする。
【発明の効果】
【０００９】
請求項１に記載の発明によれば、所定のプリセット操作が行われる毎に、複数チャンネル中の空きチャンネルに新たな周波数情報が設定されるので、プリセットするチャンネルを選択する手間を省くことができる。また複数チャンネル中の空きチャンネルの有無が判定され、所定プリセット操作が行われた場合において空きチャンネルが無いと判定されたときは、周波数情報を最後に設定したチャンネルに新たな周波数情報が上書き設定されるので、運転者にとって重要度が高いと推測される古いプリセット情報を消去することなく、新たな周波数情報の設定が可能となる。
【００１０】
請求項２に記載の発明によれば、所定のプリセット操作が行われる毎に、複数チャンネル中の空きチャンネルに周波数情報が設定される。さらに、設定された周波数情報を消去するチャンネルが選択され、選択されたチャンネルに設定された周波数情報が消去される。その周波数情報が消去された空きチャンネルが最後に設定されたチャンネルでないときに、その空きチャンネルより後に設定されたチャンネルに設定されている周波数情報を、その空きチャンネルの方向に移動させる処理が行われる。したがって、例えば所定プリセット操作に対応して、チャンネル番号１，２，３，…というように昇順で設定された複数のチャンネルのうち、最後に設定されたチャンネル（例えばチャンネル番号８）以外のチャンネル（例えばチャンネル番号３のチャンネル）の周波数情報が消去されたときには、チャンネル番号４から８のチャンネルに設定されている周波数情報が、それぞれチャンネル番号３から７のチャンネルに移動されるので、チャンネル番号８のチャンネルが空きチャンネルとなる。その結果、次の所定プリセット操作が行われたときには、チャンネル８に新たな周波数情報が設定され、所定プリセット操作が行われた順序通りにチャンネル設定を行うことができ、空きチャンネルを探して入力する手間を省くことができる。
【発明を実施するための最良の形態】
【００１１】
以下本発明の実施の形態を図面を参照して説明する。
図１は本発明の一実施形態にかかる車両用放送受信装置の構成を示すブロック図である。図１に示す放送受信装置は、放送電波を受信・復調し、音声信号として出力するチューナ１と、音声信号を増幅する増幅器２と、音声信号を音声として出力するスピーカ３と、使用者が操作するための操作部４と、チューナ１を制御する制御部５と、選択しているチャンネルや操作情報を表示するための表示部６とを備えている。
【００１２】
図２は操作部４及び表示部６の外観を示す図であり、操作部４は、チューナ１の受信チャンネルのプリセット操作などを行うためのロータリー操作ノブ１１、ロータリー操作ノブ１１の中央部に設けられたボタン１８、ＦＭ放送電波及びＡＭ放送電波を選択するための選択キー１２、上下移動キー１３，１４、メニューキー１５、シークキー１６，１７などの各種操作キーあるいはノブなどを備えている。
【００１３】
シークキー１６，１７の操作等による選局（受信周波数調整）を行い、所望の放送電波を受信している状態でボタン１８を所定時間以上を押すこと（所定プリセット操作）により、プリセット用チャンネル中の空きチャンネルに受信中の放送電波の周波数が設定される。本実施形態では、チャンネル番号１から３０までの３０個のプリセット用チャンネルが予め用意されており、チャンネル番号１のチャンネルから昇順に受信電波周波数のプリセットが順次行われる。なお、予め記憶されている受信電波周波数を選択する場合には、上下移動キー１３，１４を操作して選局することも可能である。以下の説明では、チャンネル番号ｎ（＝１〜３０）のチャンネルを、「チャンネルｎ」と記述する。
【００１４】
放送受信（ラジオ作動）中にメニューキー１５を数回押すことにより、表示部６に「ＥＲＡＳＥ ＡＬＬ」と表示させ、その状態でボタン１８を押すとすべてのプリセット情報が消去される。またロータリー操作ノブ１１を回転させるとプリセットされたチャンネルが表示部６に順次表示される。プリセット情報を消去したいチャンネルが表示されている状態でボタン１８を押すことにより、そのチャンネルのプリセット情報が消去される。
【００１５】
図３は、制御部５におけるチャンネルプリセット処理の手順を示すフローチャートである。
ステップＳ１１では所定プリセット操作が行われたか否かを判別し、行われていないときは直ちに処理を終了する。所定プリセット操作が行われたときは、プリセット用チャンネル中に空きチャンネルが有るか否かを判別する（ステップＳ１２）。空きチャンネルが有るときは、設定チャンネル番号ＣＨＳＥＴを空きチャンネルのうち最もチャンネル番号が小さい最小空きチャンネル番号ＣＨＶＭＩＮに設定する（ステップＳ１３）。そして、設定チャンネル番号ＣＨＳＥＴに対応する空きチャンネルに受信放送電波の周波数情報をプリセットする（ステップＳ１６）。周波数情報は、周波数のみでもよく、また周波数及び対応する放送局名を含んでもよい。なお、周波数情報のプリセットは、該周波数情報をチャンネル番号に対応して不揮発性メモリに格納することにより行われる。
【００１６】
一方、空きチャンネルが無いときは、ステップＳ１２からステップＳ１４に進み、最大チャンネル番号ＣＨＭＡＸ（本実施形態では「３０」）に対応するチャンネルのプリセット情報を消去し（ステップＳ１４）、設定チャンネル番号ＣＨＳＥＴを最大チャンネル番号ＣＨＭＡＸに設定し（ステップＳ１５）、ステップＳ１６に進む。したがって、この場合には、最大チャンネル番号ＣＨＭＡＸに対応するチャンネルに新たな周波数情報が上書きされる。
【００１７】
図４は図３の処理を説明するための図であり、図４（ａ）は、ハッチングを付したチャンネル１から３が既にプリセットされている状態で、所定プリセット操作が行われた場合に対応する。この場合は、チャンネル番号４が最小空きチャンネル番号ＣＨＶＭＩＮに相当し、チャンネル４のプリセットが行われる。
【００１８】
図４（ｂ）は、空きチャンネルが無い状態で、所定プリセット操作が行われた場合に対応する。この場合は、最大チャンネル番号ＣＨＭＡＸ（＝３０）のチャンネルに、新たな周波情報が上書きされる。
【００１９】
このように本実施形態では、所定のプリセット操作が行われる毎に、使用可能な複数チャンネル中の空きチャンネルに新たな周波数情報が設定されるので、プリセットするチャンネルを選択する手間を省くことができる。また所定プリセット操作が行われた場合において空きチャンネルが無いと判定されたときは、周波数情報を最後に設定したチャンネル、すなわち本実施形態では最大チャンネル番号に対応するチャンネルに新たな周波数情報が上書き設定されるので、運転者（使用者）にとって重要度が高いと推測される古いプリセット情報を消去することなく、新たな周波数情報の設定が可能となる。
【００２０】
図５は、プリセットされた周波数情報の消去処理の手順を示すフローチャートである。
消去するチャンネルが選択されたか否かを判別し（ステップＳ２１）、選択されていなければ直ちに処理を終了する。選択されたときは、選択チャンネル番号ＣＨＳＥＬに対応するチャンネルのプリセット情報を消去し（ステップＳ２２）、選択チャンネル番号ＣＨＳＥＬが最後にプリセットしたチャンネルのチャンネル番号である最終設定チャンネル番号ＣＨＬＳＴと等しいか否かを判別する（ステップＳ２３）。その答が肯定（ＹＥＳ）であるとき、直ちに処理を終了する。
【００２１】
選択チャンネル番号ＣＨＳＥＬが最終設定チャンネル番号ＣＨＬＳＴでないときは、選択チャンネル番号ＣＨＳＥＬより大きなチャンネル番号のチャンネルに設定される周波数情報を、選択チャンネル番号ＣＨＳＥＬに対応するチャンネルの方向に移動させる、すなわち本実施形態ではそれぞれ１つずつ小さいチャンネル番号のチャンネルに移動させるシフト処理を行う（ステップＳ２４）。
【００２２】
図６はシフト処理を説明するための図であり、図６（ａ）は、チャンネル１から８までのプリセットが完了している状態で（チャンネル９以降は空きチャンネル）、チャンネル３のプリセット情報を消去した場合に対応する。この場合には、チャンネル３のプリセット情報を消去した後に、チャンネル４〜８のプリセット情報が、それぞれチャンネル３〜７に移動される。
【００２３】
図６（ｂ）は、選択チャンネル番号ＣＨＳＥＬが最終設定チャンネル番号ＣＨＬＳＴと等しい場合に対応する。この場合には、ステップＳ２３の答が肯定（ＹＥＳ）となり、シフト処理が行われない。
【００２４】
図６（ｃ）は、チャンネルプリセットが昇順ではなく降順に（チャンネル番号３０，２９，２８，…の順に）行われる場合に対応する。図６（ｃ）には、チャンネル３０〜２５のプリセットが完了している状態で、チャンネル２９のプリセット情報を消去した例が示されている。この例では、チャンネル２９のプリセット情報を消去した後に、チャンネル２８〜２５のプリセット情報がそれぞれ１つずつ大きいチャンネル番号のチャンネル２９〜２６に移動させるシフト処理が行われる。
【００２５】
以上のように本実施形態では、プリセットされた周波数情報を消去するチャンネルが選択され、選択されたチャンネルに設定された周波数情報が消去されると、周波数情報が消去された空きチャンネル（ＣＨＳＥＬ）が最後に設定された最終設定チャンネル番号ＣＨＬＳＴでないときに、空きチャンネル（ＣＨＳＥＬ）より後に設定されたチャンネルに設定されている周波数情報が、空きチャンネル（ＣＨＳＥＬ）の方向に移動させるシフト処理が行われる。したがって、所定プリセット操作に対応して、図６（ａ）に示すように、チャンネル番号１，２，３，…というように昇順で設定された複数のチャンネルのうち、例えばチャンネルチャンネル３の周波数情報が消去されたときには、チャンネル４から８に設定されている周波数情報が、それぞれチャンネル３から７に移動されるので、チャンネル８が空きチャンネルとなる。その結果、次の所定プリセット操作が行われたときには、チャンネル８に新たな周波数情報が設定され、所定プリセット操作が行われた順序通りにチャンネル設定を行うことができる。
【００２６】
本実施形態では、チューナ１が放送受信機に相当し、操作部４が選択手段を構成する。また制御部５がプリセット手段、判定手段、消去手段、及び移動手段を構成する。
【００２７】
なお本発明は上述した実施形態に限るものではなく、種々の変形が可能である。例えば、所定プリセット操作が行われたときにチャンネル番号の昇順に限らず、降順に空きチャンネルのプリセットを行うようにしてもよい。
【００２８】
また放送電波はラジオ放送電波に限らず、テレビ放送電波の受信装置にも本発明は適用可能である。
またプリセット可能なチャンネル数は「３０」に限るものではなく、本発明は２以上のチャンネルについてプリセットを行うことができる放送受信装置に適用できる。
【図面の簡単な説明】
【００２９】
【図１】本発明の一実施形態にかかる車両用放送受信装置の構成を示すブロック図である。
【図２】図１に示す操作部及び表示部の外観を示す図である。
【図３】周波数情報のプリセット処理を説明するためのフローチャートである。
【図４】図３の処理を説明するための図である。
【図５】プリセットされた周波数情報を消去する処理を説明するためのフローチャートである。
【図６】図５の処理を説明するための図である。
【符号の説明】
【００３０】
１  チューナ（放送受信機）
４  操作部（選択手段）
５  制御部（プリセット手段、判定手段、消去手段、移動手段）
６  表示部
【図１】
2010062702.tif 000003
【図２】
2010062702.tif 000004
【図３】
2010062702.tif 000005
【図４】
2010062702.tif 000006
【図５】
2010062702.tif 000007
【図６】
2010062702.tif 000008